(57)【要約】【課題】閉めたときに隙間ができないようにすることのできるプリーツカーテンを提供すること。【解決手段】生地ａに掛けた複数の縦プリーツ１１を連続的に横方向に配列したプリーツカーテン１０であって、生地の上端の幅Ａを、下端の幅Ｂより小さくするとともに、各縦プリーツ１１の上端の幅を、当該縦プリーツ１１の下端の幅より小さくしたこと。好ましくは、各縦プリーツ１１の全てによって形成される上端線の中央が凹んだ円弧線状となり、かつ各縦プリーツ１１の全てによって形成される下端線の中央が膨らんだ円弧線状となるようにしたこと。【選択図】図２
2011087779.tif 000002
【特許請求の範囲】
【請求項１】
生地に掛けた複数の縦プリーツを連続的に横方向に配列したプリーツカーテンであって、
前記生地の上端の幅を、下端の幅より小さくするとともに、
前記各縦プリーツの上端の幅を、当該縦プリーツの下端の幅より小さくしたことを特徴とするプリーツカーテン。
【請求項２】
カーテンレールに掛けていないときの前記プリーツカーテンの、前記各縦プリーツの全てによって形成される上端線の中央が凹んだ円弧線状となり、かつ前記各縦プリーツの全てによって形成される下端線の中央が膨らんだ円弧線状となるようにしたことを特徴とする請求項１に記載のプリーツカーテン。
【発明の詳細な説明】
【技術分野】
【０００１】
本発明は、カーテンに関し、特に、カーテンを展開したときに、窓枠や他のカーテンとの間に隙間ができないようにしたカーテンに関するものである。
【背景技術】
【０００２】
所謂カーテンは、種々な材料で種々な意匠を凝らしたものが数多く提案されていて、形態的にも数多くのものが提案されている。特に、華やかな意匠性を出すために、カーテン生地にプリーツ（ドレープ）を掛けて形成したカーテンも、例えば特許文献１等において提案されている。
【０００３】
また、カーテンは、一枚で使用するにしても二枚以上で使用するにしても、一般的にはカーテンレールに吊下されるものであり、このカーテンレールに沿って当該カーテンの開閉がなされる。
【先行技術文献】
【特許文献】
【０００４】
【特許文献１】特開２００７−１３５９１５号公報、要約
【発明の概要】
【発明が解決しようとする課題】
【０００５】
特許文献１には、「窓に対して横開できるカーテンを閉めたときの、カーテン同士あるいはカーテンと窓を構成している壁との間に光が漏れる隙間ができないようにすることのできるドレープカーテンを提供すること」を目的とした「ドレープカーテン」が提案されている。
【０００６】
この特許文献１の発明者も指摘している通り、カーテンにプリーツ（ドレープ）が掛けてあると、図６に示すように、カーテン同士あるいはカーテンと窓を構成している壁との間に光が漏れる隙間ができる。その理由は、カーテンレールに支持されているカーテンの上端部以外は、全くのフリーな状態になっているため、これに掛けてあるプリーツによって、カーテンの上端部より縮むからである。
【０００７】
カーテンのプリーツは、閉めたときのカーテンに豪華さを付与するとともに、部屋の雰囲気も柔らかくするから、カーテンの商品価値を高める上でも是非とも掛けたいものである。一方、閉めたカーテン同士あるいは窓枠との間に「隙間」ができると、折角の豪華さが半減するだけでなく、外からの光を部屋に入れたり、部屋の光を外に出したりする。
【０００８】
そこで、本発明者等は、プリーツを掛けたカーテンについて、閉めたときに「隙間」ができないようにするにはどうしたらよいか、について種々検討を重ねてきた結果、本発明を完成したのである。
【０００９】
すなわち、本発明の目的とするところは、閉めたときに「隙間」ができないようにすることのできるプリーツカーテンを提供することにある。
【課題を解決するための手段】
【００１０】
以上の課題を解決するために、まず、請求項１に係る発明の採った手段は、後述する最良形態の説明中で使用する符号を付して説明すると、
「生地１０ａに掛けた複数の縦プリーツ１１を連続的に横方向に配列したプリーツカーテン１０であって、
生地１０ａの上端の幅を、下端の幅より小さくするとともに、
各縦プリーツ１１の上端の幅Ａを、当該縦プリーツ１１の下端の幅Ｂより小さくしたことを特徴とするプリーツカーテン１０」
である。
【００１１】
すなわち、この請求項１に係るプリーツカーテン１０は、その生地１０ａの段階で、図３及び図４に示すように、この生地１０ａの上端の幅Ａを、下端の幅Ｂより小さくした状態で裁断して形成したものである。この場合、生地１０ａの図示上端線及び下端線は、直線状であってもよく、後述するような中央が凹んだ円弧状となるようにしてもよいが、両方ともが直線状であるか、円弧状である必要はある。なお、この生地１０ａの縦方向の長さは、例えば図１に示したプリーツカーテン１０の場合、窓枠３０の高さより僅かに長くしたものであるが、この窓枠３０の大きさに合わされることは言うまでもない。
【００１２】
この生地１０ａの上端の幅Ａは、生地１０ａにプリーツを掛けた場合であっても、窓枠３０の横幅より僅かに大きくなるように決定される。勿論、この生地１０ａの上端の幅Ａは、窓枠３０を何枚のプリーツカーテン１０によって覆うかを加味して決定されるものであり、一枚のプリーツカーテン１０で覆うのであれば窓枠３０の幅より僅かに大きくされるし、二枚のプリーツカーテン１０で覆うのであれば窓枠３０の幅の１／２より僅かに大きくされることは言うまでもない。
【００１３】
本請求項１に係るプリーツカーテン１０は、以上のように裁断した生地１０ａをプリーツ機に掛けて縦プリーツ１１を形成するのであるが、これら各縦プリーツ１１の上端の幅は、図３に示すように、当該縦プリーツ１１の下端の幅より小さくしてある。
【００１４】
以上のように構成した本発明に係るプリーツカーテン１０は、その上端裏面（窓枠３０側となる面）の適宜位置にカーテン吊り具を取り付けて、これらの吊り具をカーテンレール２０に掛ければ、図１に示すように、当該プリーツカーテン１０同士や窓枠３０との間に隙間が全くない状態となる。
【００１５】
本発明に係るプリーツカーテン１０が、これを図１に示すように閉めたときに全く隙間ができないのは、次の理由による。もし、各縦プリーツ１１の下端の幅が上端のそれと同じであれば、従来例を示した図６に示したような隙間ができるのであるが、本発明にあっては、生地１０ａの上端の幅を下端の幅より小さくするとともに、各縦プリーツ１１の上端の幅を、当該縦プリーツ１１の下端の幅より小さくしてあるから、各縦プリーツ１１は、これに掛けてあるプリーツにより、下に行くに従って「下窄まり」となる。
【００１６】
各縦プリーツ１１が下に行くに従って「下窄まり」となれば、当該プリーツカーテン１０を形成する生地１０ａが元々「末広がり」に裁断されていたのであるから、「末広がり」が「下窄まり」によって修正される。結果的に、本発明に係るプリーツカーテン１０は、これをカーテンレール２０に掛けて閉めたとき、図１に示すように、上から下にわたって各縦プリーツ１１がストレートなものとなって、プリーツカーテン１０同士あるいは、このプリーツカーテン１０と窓枠３０との間に隙間が形成されることはないのである。
【００１７】
従って、この請求項１に係るプリーツカーテン１０は、閉めたときに「隙間」ができないようにすることができるものとなっているのである。
【００１８】
上記課題を解決するために、請求項２に係る発明の採った手段は、上記請求項１に記載のプリーツカーテン１０について、
「カーテンレール２０に掛けていないときのプリーツカーテン１０の、各縦プリーツ１１の全てによって形成される上端線の中央が凹んだ円弧線状となり、かつ各縦プリーツ１１の全てによって形成される下端線の中央が膨らんだ円弧線状となるようにしたこと」
である。
【００１９】
つまり、この請求項２に係るプリーツカーテン１０は、図２〜図４に示すように、カーテンレール２０に掛けていないときのプリーツカーテン１０の、各縦プリーツ１１の全てによって形成される上端線の中央が凹んだ円弧線状となり、かつ各縦プリーツ１１の全てによって形成される下端線の中央が膨らんだ円弧線状となるようにしたものである。
【００２０】
ここで、このプリーツカーテン１０をカーテンレール２０に掛けると、当該プリーツカーテン１０の上端線がカーテンレール２０によって直線状となるように引き上げられるから、これに応じて各縦プリーツ１１についてもそれぞれの引き上げ量に応じて引き上げられる。この場合、各縦プリーツ１１の全てによって形成される上端線の中央が凹んだ円弧線状にしてあったから、中央の縦プリーツ１１についての引き上げ量が最大となり、両端に位置する縦プリーツ１１の引き上げ量は最小となる。
【００２１】
そして、各縦プリーツ１１が以上のように引き上げられる結果、各縦プリーツ１１の下端についても、当該縦プリーツ１１の引き上げ量に応じして引き上げられる。この場合、各縦プリーツ１１の全てによって形成される下端線の中央が膨らんだ円弧線状にしてあったから、中央の縦プリーツ１１についての引き上げ量が最大で、両端に位置する縦プリーツ１１の引き上げ量は最小となり、結果的に、プリーツカーテン１０の下端線は、カーテンレール２０によって直線状となった上端線と同様に、直線状となる。
【００２２】
そして、各縦プリーツ１１についてみてみると、それぞれが引き上げられる結果、各縦プリーツ１１に掛けられていたプリーツが強制的に「下窄まり」状態になされるため、当該プリーツカーテン１０の両端縁は、図１に示すように、鉛直方向の直線状となる。このため、プリーツカーテン１０同士、あるいはプリーツカーテン１０と窓枠３０との間に隙間が形成されることはなくなるのである。
【００２３】
従って、この請求項２に係るプリーツカーテン１０は、上記請求項１のそれと同様な機能を発揮する他、カーテンレール２０に掛けて閉めたときに、「隙間」ができないように各縦プリーツ１１のプリーツを「下窄まり」にすることができるものとなっているのである。
【発明の効果】
【００２４】
以上、説明した通り、本発明においては、
「生地１０ａに掛けた複数の縦プリーツ１１を連続的に横方向に配列したプリーツカーテン１０であって、
生地１０ａの上端の幅を、下端の幅より小さくするとともに、
各縦プリーツ１１の上端の幅を、当該縦プリーツ１１の下端の幅より小さくしたこと」
にその構成上の主たる特徴があり、これにより、閉めたときに「隙間」ができないようにすることのできるプリーツカーテン１０を提供することができるのである。
【図面の簡単な説明】
【００２５】
【図１】本発明に係るプリーツカーテン１０の二枚を閉めて窓枠３０を覆った状態の室内側からみた正面図である。
【図２】同プリーツカーテン１０と仮想線で示した生地１０ａとの関係を示す正面図である。
【図３】同プリーツカーテン１０を構成するための生地１０ａの平面図である。
【図４】同生地１０ａを原反から裁断するときの様子を示す部分平面図である。
【図５】図２中の１−１線に沿ってみたプリーツカーテン１０を示すもので、（ａ）は縦プリーツ１１が曲線（波線）である場合の部分拡大横断面図、（ｂ）は縦プリーツ１１が直線（折線）である場合の部分拡大横断面図である。
【図６】従来のプリーツカーテン１０を閉めて隙間ができた様子を示す正面図である。
【発明を実施するための形態】
【００２６】
次に、上記のように構成した各請求項に係る発明を、図面に示した実施の形態であるプリーツカーテン１０について説明すると、図１には、本実施形態に係るプリーツカーテン１０の二枚を閉めて窓枠３０を覆った状態の室内側からみた正面図が示してある。
【００２７】
このプリーツカーテン１０は、生地１０ａの上端の幅を、下端の幅より小さくするとともに、各縦プリーツ１１の上端の幅を、当該縦プリーツ１１の下端の幅より小さくして形成したものであるが、これに加えて、カーテンレール２０に掛けていないときのプリーツカーテン１０の、各縦プリーツ１１の全てによって形成される上端線の中央が凹んだ円弧線状とし、かつ各縦プリーツ１１の全てによって形成される下端線の中央が膨らんだ円弧線状となるようにして実施してもよいものである。
【００２８】
このプリーツカーテン１０は、原反から生地１０ａを裁断して、この生地１０ａにプリーツ掛け等の各種加工を施して形成されるものであることは当然であるが、この生地１０ａの原反からの裁断は、例えば、図４に示したように行われる。
【００２９】
一般的な原反の幅は、１５０ｃｍであるが、生地１０ａの最大幅、つまり下端の幅がその範囲に含まれれば図４に示したような裁断を行えば問題はないが、１５０ｃｍより大きい幅の場合には、次のようにするとよい。つまり、１５０ｃｍ幅の原反から、縦の中央で切断した状態の生地１０ａを裁断し、これらの生地１０ａを中央の縦線で逢着するのである。このようにすれば、一般的には１５０ｃｍ幅しかない原反を使用しても、種々な大きさのプリーツカーテン１０を製造することができるのである。
【００３０】
また、図４に示したような生地１０ａを裁断したら、これに縦プリーツ１１を形成しなければならないが、この縦プリーツ１１の形成は、一般的なプリーツ加工機を使用すれば簡単である。ただし、各縦プリーツ１１は、図３にも示したように、「末広がり」形状にしなければならないから、それに応じたプリーツ加工をしなければならない。
【００３１】
「末広がり」の縦プリーツ１１とするためのプリーツ加工は、一般的に使用されているプリーツ加工用の「型紙」を、各縦プリーツ１１の「末広がり」に応じた部分を形成すれば簡単である。この場合、縦プリーツ１１としては、一般的には、図５の（ａ）に示した波形と、図５の（ｂ）に示した角形とに大別されるが、この縦プリーツ１１を形成する型紙は、例えば図５の（ａ）に示した波形形状になったものが、縦プリーツ１１の表裏用に二枚用意される。勿論、各型紙の「波」部分は、「末広がり」に形成されることは言うまでもない。
【００３２】
ここで、図３中に示してある各縦プリーツ１１を区画するための「実線」は山または谷１１ａを示すものであるが、この山または谷１１ａは、図５中で示した「山」なら山を、また「谷」なら谷を示すものである。また、図５中の矢印で示したように、各縦プリーツ１１の幅としては、「山」から「山」、または「谷」から「谷」の距離を言う。
【００３３】
さて、生地１０ａに縦プリーツ１１を形成するための型紙は、上述したように、各縦プリーツ１１に対応する部分のどこを採っても「末広がり」となるのであるから、一枚の生地１０ａの表裏を挟んだものの多数を、少し位置をずらすだけで重ねることができる。換言すれば、プリーツ加工機に掛けて生地１０ａに縦プリーツ１１を形成するにあたって、１台でも多数の生地１０ａについて同時に行えるのであり、プリーツカーテン１０の製造を効率的になし得るのである。
【００３４】
本実施例に係る各縦プリーツ１１は、例えば一枚の生地１０ａに７本形成した場合、各縦プリーツ１１の上端の幅が、５ｃｍ〜８ｃｍであり、各縦プリーツ１１の下端の幅が、８ｃｍ〜１２ｃｍであった。なかでも、各縦プリーツ１１の上端の幅を７ｃｍとし、各縦プリーツ１１の下端の幅を１０ｃｍとしたのが、プリーツカーテン１０とした場合に最も綺麗になった。なお、各プリーツカーテン１０の、図３に示した上下方向の長さについては、窓枠３０の上下幅との関係で特に制限はされず、各縦プリーツ１１の上端の幅がを５ｃｍ〜８ｃｍとし、各縦プリーツ１１の下端の幅を８ｃｍ〜１２ｃｍとする条件を満たせば、自由に変更できるものである。
【００３５】
そして、本実施例においては、図３及び図４に示したように、各縦プリーツ１１の全てによって形成される上端線を、その中央が凹んだ円弧線状となるようにし、かつ各縦プリーツ１１の全てによって形成される下端線を、その中央が膨らんだ円弧線状となるようにしてある。
【００３６】
なお、各縦プリーツ１１の全てによって形成される上端線及び下端線は、これを直線状にしても、本発明は十分実施できる。
【００３７】
以上のように各縦プリーツ１１を形成した生地１０ａの裏面に、一般的な吊り具を取り付けることによって、プリーツカーテン１０として完成される。なお、当該プリーツカーテン１０が一つの窓枠３０に対して二枚使用される場合には、図１中の点線にて示したように、各プリーツカーテン１０の上側端部であって内側に留め磁石１２が取り付けられる。これらの留め磁石１２は、当該プリーツカーテン１０を閉めたときに、上端にて互いに接合した状態を維持するもので、一般的に採用されているものである。
【００３８】
以上のように形成したプリーツカーテン１０を、その各吊り具を使用してカーテンレール２０に取り付け、このプリーツカーテン１０を閉めた状態にすれば、当該プリーツカーテン１０は、図１にも示したように、プリーツカーテン１０同士あるいはこのプリーツカーテン１０と窓枠３０との間に隙間を発生させることなく展開できるのである。
【符号の説明】
【００３９】
１０    プリーツカーテン
１０ａ  生地
１１    縦プリーツ
１１ａ  山または谷
１２    留め磁石
２０    カーテンレール
３０    窓枠
【図１】
2011087779.tif 000003
【図２】
2011087779.tif 000004
【図３】
2011087779.tif 000005
【図４】
2011087779.tif 000006
【図５】
2011087779.tif 000007
【図６】
2011087779.tif 000008